(57)【特許請求の範囲】
【請求項１】
装置本体の下部に、脚体を、その左右のアーム部の基部で支軸により回動可能に取り付け、前記アーム部の基部にロック爪部を形成し、装置本体の底面に設けられて、この装置本体を壁面固定金具に取り付けた際の脱落防止用のフックレバーの先側に前記ロック爪部に係合するストッパー爪を形成したことを特徴とする端末装置。
【請求項２】
前記アーム部の基部を半円形状のフランジ部にして、このフランジ部の内面に、このフランジ部の周縁に沿って複数のＶ溝を形成して、これらのＶ溝間にロック爪部を形成した請求項２記載の端末装置。
【発明の詳細な説明】
【０００１】
【産業上の利用分野】
本発明は、電話機等の端末装置の操作ボタン、液晶表示器等を実装したパネル操作面の傾斜角度を、選択調整できる角度調整機構を備えた端末装置に関するものである。
【０００２】
【従来の技術】
従来、電話機等の端末装置において、操作性向上のためにパネル操作面２５の傾斜角度を変化させる角度調整機構は、図９に示すように端末装置の下ケース２０に係合するフック部２１とばね性を有する爪２２とを設けた台形のサブケース２３を有し、このサブケース２３を下ケース２０に取付けて角度（θ１からθ０、またはこの逆）を変更する方法がとられている。
【０００３】
また、従来はパネル操作面２５の角度を調整する場合は、図９に示すようにフック２１と爪２２を有するサブケース２３を装着可能なように下ケース２０の底面側に取付穴２６、２７等を設け、サブケース２３を取付け、また取外して行っていた。
【０００４】
【発明が解決しようとする課題】
しかしながら、従来の端末装置が備える角度調整機構は、端末装置の下ケース２０とは別のサブケース２３を取付ける構成であるために、パネル操作面２５の傾斜角度が緩やかな場合はサブケース２３は不要となり、再度取付ける時までに紛失する恐れがあったし、また、端末装置のすべり防止用として貼付けているゴム製の接触足２４も、下部ケース２０の底面だけでなくサブケース２３の底面にも必要となり、コスト高になる等の問題点があった。
【０００５】
さらに、端末装置は高機能、多機能化の方向にありながら、かつ軽薄短小化しているため、下ケース２０の底面部に例えば各種操作用スイッチ部あるいは外部接続用コネクタ取出口等の実装スペースが占める割合が多くなり、新たに別な構造を実現させるためのスペースを確保するのが困難な状況にある。
【０００６】
本発明は上記の問題点を解決するものであり、その目的とするところは、従来からある壁掛け等の取付スペースや構造を利用して、簡便に操作面の傾斜角の度調整が可能な端末装置を提供することにある。
【０００７】
【課題を解決するための手段】
上記の目的を達成するために、本発明は、装置本体の下部に、脚体を、その左右のアーム部の基部で支軸により回動可能に取り付け、前記アーム部の基部にロック爪部を形成し、装置本体の底面に設けられて、この装置本体を壁面固定金具に取り付けた際の脱落防止用のフックレバーの先側に前記ロック爪部に係合するストッパー爪を形成したことを特徴とする。
【０００９】
また、上記の目的を達成するために、本発明は、請求項１記載の端末装置において、前記アーム部の基部を半円形状のフランジ部にして、このフランジ部の内面に、このフランジ部の周縁に沿って複数のＶ溝を形成して、これらのＶ溝間にロック爪部を形成した。
【００１１】
【作用】
本発明は、脚体を手前に向けて回転しロック爪をフックレバーのストッパー爪を乗越えて次のＶ溝に噛み合わせて、端末装置の荷重による支軸を中心とした脚体の回転を防いで行う。したがって、従来からある壁掛け等の取付スペースや構造を利用して操作面の傾斜角度の調整が可能になって、卓上で使用するときには、工具等を使用することなく容易に設置角度の変更ができ、ダイヤルボタン等の操作性及び液晶表示器の視認性が向上できる効果がある。また、端末装置を梱包輸送するときや壁面取付けを行うときは邪魔になることがなく、また、不要時には別ピースにならないので紛失する恐れがない。
【００１２】
【実施例】
以下、本発明の実施例を図面を参照して説明する。図１は本発明に係わる電話機の外観を示す斜視図、図２は同電話機の右側面図、図３は同電話機の底面図、図４は同電話機の脚体の斜視図、図５は脚体取付部に脚体を取り付ける前の状態の部分詳細図、図６は脚体取付部の部分詳細図、図７は脚体取付部に脚体を取り付けた状態の部分断面図、図８は本発明に係わる電話機の壁面固定金具に取付けた状態の右側面図である。
【００１３】
本発明に係わる端末装置としての電話機Ｔは上ケース１と下ケース２とからなる装置本体Ａを備えている。この装置本体Ａの上ケース１にはパネル操作面３が設けてあり、このパネル操作面３はダイヤルボタン３−１、ファンクションキー３−２、液晶表示器３−３等により構成されている。また、電話機Ｔの表面にハンドセット４が着脱可能に設けてある。
【００１４】
前記下ケース２の底面部には、その中央部後側（図３において上部）に位置させて突出部５が突出形成されており、この突出部５の左、右側端面には軸受孔７が形成してある。また、下ケース２の底面部には、前記突出部５の左、右方に位置させてフック係止孔８が、また、下ケース２の底面部の前側左右（図３において下部左右）にはフック係止孔９がそれぞれ形成してある。
【００１５】
また、前記下ケース２の底面部には、前記突出部５の左、右方に位置させて側面略三角状のストッパーブロック６と、フックレバー１０とが形成してある。このストッパーブロック６は、その下面に案内面６ａを有している。また、前記フックレバー１０は元来図８に示すように電話機Ｔを壁面固定金具１１に取付ける際の脱落防止用片持ち梁形状のレバーであり、強度を上げるためレバーの幅を広くし、先端部にはストッパー爪１０−１が、外側には操作部１０−３がそれぞれ設けてある。また、右側（図３においては左側）のフックレバー１０には、ストッパー爪１０−１、操作部１０−３の他にロック爪１０−２が形成してある。
【００１６】
また、前記下ケース２の底面部には角度調整機構Ｂが設けてある。この角度調整機構Ｂは脚体１２を備えており、この脚体１２は図４に示すようにコ字形状をしていて、左右のアーム部１２−１の基部内面には支軸１３が形成してあり、また、アーム部１２−１の基部は半円形状にしてあり、この半円形状のフランジ部１２−２の内面にはＶ溝１４と、Ｖ溝１４間に位置するロック爪部１５とが形成してあり、また、左右のアーム部１２−１の先部にはゴム製の接触足１６が設けてある。これらの接触足１６の外面は半球状に形成してある。
【００１７】
そして、このように構成された脚体１２は、左右の支軸１３が前記突出部５の左、右側端面の軸受孔７に挿入されて前記下ケース２に取り付けてある。この場合、前記脚体１２は合成樹脂製であり、その弾性範囲内で広げることが可能である。したがって、前記下ケース２の軸受孔７間の横幅寸法Ｗ１に対し、脚体１２のアーム部１２ー１間の内側寸法Ｗ３はＷ１＞Ｗ３であるが、アーム部１２ー１を外方へ撓ませることができるので一時的にＷ３≧Ｗ１となり、前記支軸１３は、前記軸受孔７に容易に挿入される。この時、内側寸法Ｗ２は軸受孔７間の横幅寸法Ｗ１に対し（数１）とし、挿入後に左右方向に隙間が発生しないようにする。そして、前記アーム部１２−１の基部のフランジ部１２−２は前記フランジ部収容溝６に位置している。
【数１】
0003549572.tif 000002
【００１８】
パネル操作面３の角度調整は、前記フックレバー１０を利用し、前記脚体１２の固定角度を変えるものである。すなわち、卓上等の設置面Ｌに対する電話機Ｔのパネル操作面３の傾斜角度が、角度調整機構Ｂの影響を受けない状態の時をθ０とし、角度調整機構Ｂにより傾斜を付けた場合はθＮ（Ｎ＝１，２，３……）とすると、傾斜角度がθ０の状態では、前記脚体１２のアーム部１２ー１が下ケース２のストッパーブロック６に係脱可能に係止し、脚体１２が電話機Ｔの荷重により支軸１３を中心に回転するのを防いでおり、かつアーム部１２−１の基部のＶ溝１４の平坦部１４ー１にフックレバー１０がその弾性力で当接するので、電話機Ｔ全体を持ち上げた時に脚体１２が自重で電話機Ｔの手前方向へ回転して戻るのも押える。
【００１９】
パネル操作面３の傾斜角度がθ０からθ１（θ０＝１５°，θ１＝２５°）の状態にするには、脚体１２を電話機Ｔの手前に向けて回転しＶ溝１４間のロック爪１５がフックレバー１０のストッパー爪１０−１を乗越えて次のＶ溝１４に噛み合い、電話機Ｔの荷重による支軸１３を中心とした脚体１２の回転を防ぐ。また、パネル操作面３の傾斜角度がθ０時と同様にＶ溝１４の平坦部１４ー１へのフックレバー１０の当接により脚体１２の自重による戻りも押えられる。
【００２０】
上記した実施例ではＶ溝１４が２段階の切替えになっているが、さらに、パネル操作面３の傾斜角度をθ２、θ３……と段階的に切替えたい場合はＶ溝１４の数を増やすことにより可能となる。ただし、この時、すべり止メ用の接触足１６は、パネル操作面３の傾斜角度の変化に追従できるよう外面形状を半球状にしてあるので、Ｖ溝１４の追加によりパネル操作面３の傾斜角度を変えても、常に接触足１６の円周面が設置面Ｌに有効に接するようＶ溝１４の位置を設定する必要がある。
【００２１】
前記脚体１２の基部の半円形のフランジ部１２ー２は脚体１２の側面のデザイン上のポイントであると同時に、支軸１３に対し偏心させることにより、脚体１２を畳んだ状態での支軸１３の軸受孔７への挿入を可能とし、傾斜角度θ０、θＮの状態では下ケース２のストッパーブロック６の案内面６ａに案内されるため、脚体１２の広がりを押え、支軸７の抜けを防止する働きがある。
【００２２】
逆に、パネル操作面３の傾斜角度をθ１からθ０の状態へ戻す場合は、前記フックレバー１０の操作部１０−３を押し、ストッパー爪１０−１のロックを解除しながら、脚体１２をθ０の方向へ回転させればよい。
【００２３】
次に電話機Ｔを壁面Ｃに取付ける場合は、図８に示すように下ケース２のフック係止孔８および９に壁面固定金具１１の上フック１１−１および下フック１１−２をそれぞれ入れながら下方向に電話機Ｔを摺動させると、壁面固定金具１１の係止部１１−３を、フックレバー１０上のロック爪１０−２が乗越えて逆方向に摺動しなくなり、壁面Ｃに固定後の電話機Ｔを脱落防止する。この時、前記脚体１２は畳んだ状態の位置にあり、壁面固定金具１１の取付けの防げにはならない。
【００２４】
電話機Ｔを壁面固定金具１１から取外す場合は、前記フックレバー１０の操作部１０−３を押して、このレバー１０を撓ませ、係止部１１−３へのロック爪１０−２の掛りを外して行う。
【００２５】
また、電話機Ｔを梱包輸送するときも、壁面Ｃへの取付け時と同様に下ケース２側に脚体１２を畳み込んだ状態で可能となり、梱包箱の構造、形状を簡易コンパクトなものにできる。
【００２７】
【発明の効果】
請求項１に係わる発明は、装置本体の下部に、脚体を、その左右のアーム部の基部で支軸により回動可能に取り付け、前記アーム部の基部にロック爪部を形成し、装置本体の底面に設けられて、この装置本体を壁面固定金具に取り付けた際の脱落防止用のフックレバーの先側に前記ロック爪部に係合するストッパー爪を形成したから、脚体を手前に向けて回転しロック爪をフックレバーのストッパー爪を乗越えて次のＶ溝に噛み合わせて、端末装置の荷重による支軸を中心とした脚体の回転を防いで行う。したがって、梱包時や壁面固定時には邪魔にならず、卓上で使用するときには特殊な工具を必要とせず、容易に操作面の角度調整ができて、ダイヤルボタン類の操作性や液晶表示器の視認性を向上させることができるので、簡易に設置環境との調和を図る効果が得られる。
【００２８】
また、請求項２に係わる発明は、請求項１記載の端末装置において、前記アーム部の基部を半円形状のフランジ部にして、このフランジ部の内面に、このフランジ部の周縁に沿って複数のＶ溝を形成して、これらのＶ溝間にロック爪部を形成したから、前記脚体の基部の半円形のフランジ部は脚体の側面のデザイン上のポイントであり、端末装置全体の外観意匠を審美性あるものにしている。
【図面の簡単な説明】
【図１】本発明に係わる電話機の外観を示す斜視図である。
【図２】同電話機の右側面図である。
【図３】同電話機の底面図である。
【図４】同電話機の脚体の斜視図である。
【図５】脚体取付部に脚体を取り付ける前の状態の部分詳細図である。
【図６】脚体取付部の部分詳細図である。
【図７】脚体取付部に脚体を取り付けた状態の部分断面図である。
【図８】本発明に係わる電話機の壁面固定金具に取付けた状態の右側面図である。
【図９】従来の電話機の右側面図である。
【符号の説明】
１    上ケース（装置本体）
２    下ケース（装置本体）
３    パネル操作面（操作面）
３−１  ダイヤルボタン
３−３  液晶表示器
６    ストッパーブロック
７    軸受孔
１１  壁面固定金具
１０  フックレバー
１０−１  ストッパー爪
１０−２  ロック爪
１０−３  操作部
１１  壁面固定金具
１２−１  アーム部
１２−２  フランジ部
１３  支軸軸
１４  Ｖ溝
１６  接触足
【図１】
0003549572.tif 000003
【図２】
0003549572.tif 000004
【図３】
0003549572.tif 000005
【図４】
0003549572.tif 000006
【図５】
0003549572.tif 000007
【図６】
0003549572.tif 000008
【図７】
0003549572.tif 000009
【図８】
0003549572.tif 000010
【図９】
0003549572.tif 000011